(57)【特許請求の範囲】
【請求項１】
基板に肘金を備えた肘金金具を門柱に基板を貫通するボルトにて取付け、基板材に肘つぼを備えた肘つぼ金具を門扉に基板材を貫通するボルトにて取付け、肘つぼを肘金に回動自在に挿通して門扉を門柱に回動自在に保持する門扉の回動支持部の構造であって、肘つぼ金具の基板材をボルトも含めて覆うカバーの一側部に肘金が挿通して係止する係止孔を備えた係止片を形成し、カバーの他側部に基板材の端部に保持する保持片を形成し、係止孔を肘金に係止し、保持片を基板材の端部に保持して成ることを特徴とする門扉の回動支持部の構造。
【請求項２】
基板材の端部に縦溝を形成し、保持片に突部を形成し、縦溝に突部を係入して成ることを特徴とする請求項１記載の門扉の回動支持部の構造。
【請求項３】
肘金に係止孔を貫通して係止片をワッシャとして成ることを特徴とする請求項１記載の門扉の回動支持部の構造。
【請求項４】
係止片の上方に上下間隔を隔てて係止孔に平面視において重なる通孔を備えた上係止片をカバーに形成し、通孔に貫通する凸部を備えたキャップを設け、通孔に凸部を挿通してキャップをカバーに保持して成ることを特徴とする請求項１記載の門扉の回動支持部の構造。
【請求項５】
基板に肘金を備えた肘金金具を門柱に基板を貫通するボルトにて取付け、基板材に肘つぼを備えた肘つぼ金具を門扉に基板材を貫通するボルトにて取付け、肘つぼを肘金に回動自在に挿通して門扉を門柱に回動自在に保持する門扉の回動支持部の構造であって、肘つぼ金具の基板材をボルトも含めて覆うカバーの一側部に肘つぼの上部開口に係入する係入凸部を備えた係止片材を形成し、カバーの他側部に基板材の端部に保持する保持片を形成し、上部開口に係入凸部を係入し、保持片を基板材の端部に保持して成ることを特徴とする門扉の回動支持部の構造。
【請求項６】
カバーの一側部の上下部に係止片材を切除自在に設けて成ることを特徴とする請求項５記載の門扉の回動支持部の構造。
【請求項７】
カバーの一側部の上下部に係止片材を設け、係止片材に肘つぼの端部開口に嵌入することができる突起部を打ち抜きにて取り外し自在に設けて成ることを特徴とする請求項５記載の門扉の回動支持部の構造。
【請求項８】
門柱側の肘金金具をボルトを含めて覆う覆いを肘金金具の両側端部における係合部において着脱自在に取付けて成ることを特徴とする請求項１又は５記載の門扉の回動支持部の構造。
【発明の詳細な説明】
【０００１】
【発明の属する技術分野】
本発明は、門扉の回動支持部の構造に関し、詳しくは、回動支持部における外観を高めようとする技術に係るものである。
【０００２】
【従来の技術】
従来、図９に示すように、門扉の回動支持部の構造は、基板１に肘金２を備えた肘金金具３を門柱４に基板１を貫通するボルト８にて取付け、基板材５に肘つぼ６を備えた肘つぼ金具７を門扉９に基板材５を貫通するボルト８にて取付け、肘つぼ６を肘金２に回動自在に挿通して門扉９を門柱４に回動自在に保持するものである。
【０００３】
【発明が解決しようとする課題】
ところで、このような門扉の回動支持部の構造においては、肘つぼ金具７及び肘金金具３が固定しているボルト８も含めて露出していることから、肘つぼ金具７及び肘金金具３に仕上げ塗装をおこなわなければならず、それでいて、外観を高め難く、かつ、肘つぼ６に雨水やごみが侵入しやすい等という問題があった。
【０００４】
本発明はこのような問題に鑑みてなされたものであり、肘つぼ金具及び肘金金具に仕上げ塗装をおこなうことなく外観を高め、又、肘つぼに雨水やごみが侵入するのを阻止することができる門扉の回動支持部の構造を提供することを課題とするものである。
【０００５】
【課題を解決するための手段】
請求項１においては、基板１に肘金２を備えた肘金金具３を門柱４に基板１を貫通するボルト８にて取付け、基板材５に肘つぼ６を備えた肘つぼ金具７を門扉９に基板材５を貫通するボルト８にて取付け、肘つぼ６を肘金２に回動自在に挿通して門扉９を門柱４に回動自在に保持する門扉の回動支持部の構造であって、肘つぼ金具７の基板材５をボルト８も含めて覆うカバー１０の一側部に肘金２が挿通して係止する係止孔１１を備えた係止片１２を形成し、カバー１０の他側部に基板材５の端部に保持する保持片１３を形成し、係止孔１１を肘金２に係止し、保持片１３を基板材５の端部に保持していることを特徴とするものである。
【０００６】
このような構成によれば、肘つぼ金具７の基板材５をボルト８も含めてカバー１０にて覆うことができて肘つぼ金具７に仕上げ塗装をおこなわなくても外観を高めることができ、例えば、アルミニウム製にする場合にアルマイト処理をおこなうだけのものでよく、かつ、カバー１０は係止片１２の係止孔１１において肘金２に係止するとともに他端においては保持片１３が基板材５の端部に保持することでカバー１０を肘金金具３に取付けることができ、肘金金具３側に取付けのための構成を付加しなくてもよく、既存の肘金金具３にカバー１０を肘金２を中心に回転させることで容易、確実に取付けることができる。
【０００７】
請求項２においては、基板材５の端部に縦溝１４を形成し、保持片１３に突部１５を形成し、縦溝１４に突部１５を係入していることを特徴とするものである。このような構成によれば、カバー１０を肘金金具３に、一層、容易にかつ安定的に取付けることができる。
【０００８】
請求項３においては、肘金２に係止孔１１を貫通して係止片１２をワッシャＷとしていることを特徴とするものである。このような構成によれば、従来では別途に挿入をおこなっていたワッシャの組み込み作業を省くことができる。
【０００９】
請求項４においては、係止片１２の上方に上下間隔を隔てて係止孔１１に平面視において重なる通孔１７を備えた上係止片１６をカバー１０に形成し、通孔１７に貫通する凸部１８を備えたキャップ１９を設け、通孔１７に凸部１８を挿通してキャップ１９をカバー１０に保持していることを特徴とするものである。このような構成によれば、肘金２の平面視における上方にはキャップ１９が存在して、一層、外観を高めながら、キャップ１９により上係止片１６の通孔１７を閉じて水密を図ることができ、肘金２及び肘つぼ６の回動部に雨水やごみが侵入するのを防止することができる。
【００１０】
請求項５においては、基板１に肘金２を備えた肘金金具３を門柱４に基板１を貫通するボルト８にて取付け、基板材５に肘つぼ６を備えた肘つぼ金具７を門扉９に基板材５を貫通するボルト８にて取付け、肘つぼ６を肘金２に回動自在に挿通して門扉９を門柱４に回動自在に保持する門扉の回動支持部の構造であって、肘つぼ金具７の基板材５をボルト８も含めて覆うカバー１０の一側部に肘つぼ６の上部開口６ａに係入する係入凸部２０を備えた係止片材２１を形成し、カバー１０の他側部に基板材５の端部に保持する保持片１３を形成し、上部開口６ａに係入凸部２０を係入し、保持片１３を基板材５の端部に保持していることを特徴とするものである。
【００１１】
このような構成によれば、肘つぼ金具７の基板材５をボルト８も含めてカバー１０にて覆うことができて肘つぼ金具７に仕上げ塗装をおこなわなくても外観を高めることができ、例えば、アルミニウム製にする場合にアルマイト処理をおこなうだけのものでよく、かつ、カバー１０は係止片材２１の係止凸部２０が肘つぼ６の上部開口６ａに係入するとともに他端においては保持片１３が基板材５の端部に保持することでカバー１０を肘つぼ金具７に取付けることができ、肘つぼ金具７側に取付けのための構成を付加しなくてもよく、既存の肘つぼ金具７にカバー１０を肘つぼ６を中心に回転させることで容易、確実に取付けることができる。
【００１２】
請求項６においては、カバー１０の一側部の上下部に係止片材２１、２１を切除自在に設けていることを特徴とするものである。このような構成によれば、肘つぼ金具７の門扉９への取付け方向を反転する場合にカバー１０の上下を反転して肘金２側となる係止片材２１を切除することで容易に対応することができる。
【００１３】
請求項７においては、カバー１０の一側部の上下部に係止片材２１、２１を設け、係止片材２１に肘つぼ６の端部開口に嵌入することができる突起部２５を打ち抜きにて取り外し自在に設けていることを特徴とするものである。このような構成によれば、肘つぼ金具７の門扉９への取付け方向を反転する場合にカバー１０の上下を反転して肘金２側となる突起部２５を打ち抜きにて切除することで容易に対応することができる。
【００１４】
請求項８においては、門柱４側の肘金金具３をボルト８を含めて覆う覆い２２を肘金金具３の両側端部における係合部２３、２３において着脱自在に取付けていることを特徴とするものである。このような構成によれば、覆い２２により門柱４側の肘金金具３をボルト８も含めて覆うことができて肘金金具３に仕上げ塗装をおこなわなくても外観を高めることができ、例えば、アルミニウム製にする場合にアルマイト処理をおこなうだけのものでよく、かつ、覆い２２は肘金金具３の両側端部における係合部２３、２３に着脱自在に取付けていることから、肘金金具３側に取付けのための構成を付加しなくてもよい。
【００１５】
【発明の実施の形態】
以下、本発明の実施の形態を説明する。図１（ａ）は分解斜視図、同図（ｂ）（ｃ）は概略断面図である。図２は同上の作用を示す斜視図である。
【００１６】
門柱４の例えば屋内面に上下に間隔を隔てて肘金金具３を取付けている。肘金金具３は肘金２を上方に突出していて基板１にボルト８が貫通して門柱４にねじ込んでいる。門扉９の側端面に上下に間隔を隔てて肘つぼ金具７を取付けている。肘つぼ金具７は基板材５の一側部に円筒状部２６を形成して肘つぼ６を貫通孔として円筒状部２６に形成している。基板材５にボルト８が貫通して門扉９にねじ込んでいる。肘つぼ６を肘金２に回動自在に挿通して門扉９を門柱４に回動自在に保持している。
【００１７】
このような門扉の回動部の構造において、門柱４側の肘金金具３及び門扉９側の肘つぼ金具７において取付けのためのボルト８…を隠して外観を高めるようにしている。以下、詳述する。
【００１８】
カバー１０は例えば合成樹脂成形品かダイキャストのような鋳造品であり、カバー１０は肘つぼ金具７の基板材５をボルト８を含めて覆うものであり、カバー１０の一側部の下部に肘金２が貫通する係止孔１１を備えた係止片１２を形成している。又、係止片１１に対向して通孔１７を形成した上係止片１６を形成している。カバー１０の他側部に基板材５の端部に保持する保持片１３を形成している。具体的には、基板材５の端部に縦溝１４を形成し、保持片１３に突部１５を形成している。
【００１９】
しかして、カバー１０を肘つぼ金具７の基板材５に被せ、突部１５を縦溝１４に係入し、係止片１２及び上係止片１６の間に円筒状部２６を位置させ、肘金金具３の肘金２を係止片１２の係止孔１１を経て肘つぼ６に挿入し、上係止片１６の通孔１７にキャップ１９の凸部１８を挿入して閉塞するのである。
【００２０】
このように、肘つぼ金具７の基板材５をボルト８も含めてカバー１０にて覆うことができて肘つぼ金具７に仕上げ塗装をおこなわなくても外観を高めることができるのであり、例えば、アルミニウム製にする場合にアルマイト処理をおこなうだけのものでよく、コストを低減できるのである。更に、肘金金具３側に取付けのための構成を付加しなくてもよく、既存の肘金金具３にカバー１０を肘金２を中心に回転させることで容易、確実に取付けることができるのである。
【００２１】
この場合、基板材５の端部に縦溝１４を形成し、保持片１３に突部１５を形成し、縦溝１４に突部１５を係入していることから、カバー１０を肘金金具３に、一層、容易にかつ安定的に取付けることができるのである。更に、肘金２に係止孔１１を貫通して係止片１２をワッシャＷとしていることから、従来では別途に挿入をおこなっていたワッシャの組み込み作業を省くことができるのである。しかも、肘金２の平面視における上方にはキャップ１９が存在して、一層、外観を高めながら、キャップ１９により上係止片１６の通孔１７を閉じて水密を図ることができ、肘金２及び肘つぼ６の回動部に雨水やごみが侵入するのを防止することができるのである。
【００２２】
図３及び図４は他の実施の形態を示し、但し、本実施の形態の基本構成は上記実施の形態と共通であり、共通する部分には同一の符号を付して説明は省略する。
【００２３】
本実施の形態においては、カバー１０の一側部の上部に肘つぼ６の上部開口６ａに係入する係入凸部２０を備えた係止片材２１を形成している。又、カバー１０の一側部の下部にも係入凸部２０を形成した係止片材２１を設けている。これら係止片材２１、２１は切除自在になっている。
【００２４】
本実施の形態においては、不要となる下の係止片材２１を折り取って除去し、上の係止片材２１の係止凸部２０を肘つぼ６の上部開口６ａに係入するとともにカバー１０の他端においては保持片１３が基板材５の端部に保持することでカバー１０を肘つぼ金具７に取付けることができるのであり、肘つぼ金具７側に取付けのための構成を付加しなくてもよく、既存の肘つぼ金具７にカバー１０を肘つぼ６を中心に回転させることで容易、確実に取付けることができるのである。
【００２５】
この場合、カバー１０の一側部の上下部に係止片材２１、２１を切除自在に設けていることから、肘つぼ金具７の門扉９への取付け方向を反転する場合にカバー１０の上下を反転して肘金２側となる係止片材２１を切除することで容易に対応することができるのである。
【００２６】
図５は更に他の実施の形態を示し、但し、本実施の形態の基本構成は上記実施の形態と共通であり、共通する部分には同一の符号を付して説明は省略する。
【００２７】
本実施の形態においては、カバー１０の一側部の上下部に係止片材２１、２１を設け、係止片材２１に肘つぼ６の端部開口に嵌入することができる突起部２５を打ち抜きにて取り外し自在に設けている。
【００２８】
本実施の形態においても、肘つぼ金具７の門扉９への取付け方向を反転する場合にカバー１０の上下を反転して肘金２側となる突起部２５を打ち抜きにて切除して係止孔１１を形成することで容易に対応することができるのである。
【００２９】
図６及び図７は更に他の実施の形態を示し、但し、本実施の形態の基本構成は上記実施の形態と共通であり、共通する部分には同一の符号を付して説明は省略する。
【００３０】
本実施の形態においては、門柱４側の肘金金具３をボルト８を含めて覆う覆い２２を肘金金具３の両側端部における係合部２３、２３において着脱自在に取付けているものである。具体的には、覆い２２はカバー１０と同材質であり、覆い２２の両側端に係止突縁２７を形成し、肘金金具３の両側端に係止溝２８を形成し、係止突縁２７を係止溝２８に係入することで覆い２２を肘金金具３に弾性的に嵌着して取付けている。
【００３１】
本実施の形態においては、覆い２２により門柱４側の肘金金具３をボルト８も含めて覆うことができて肘金金具３に仕上げ塗装をおこなわなくても外観を高めることができ、例えば、アルミニウム製にする場合にアルマイト処理をおこなうだけのものでよく、かつ、覆い２２は肘金金具３の両側端部における係合部２３、２３に着脱自在に取付けていることから、肘金金具３側に取付けのための構成を付加しなくてもよいものである。この場合、図７に示すように、肘金金具３の高さａを覆い２２の内部高さｂよりも約２ｍｍ程度低くすることで、覆い２２の内部に水が溜まるのを防止できてよい。又、図６（ｃ）に示すように、覆い２２と肘金金具３の端部の外形形状を揃えることで、一層、外観を高めることができる。
【００３２】
【発明の効果】
請求項１においては、基板に肘金を備えた肘金金具を門柱に基板を貫通するボルトにて取付け、基板材に肘つぼを備えた肘つぼ金具を門扉に基板材を貫通するボルトにて取付け、肘つぼを肘金に回動自在に挿通して門扉を門柱に回動自在に保持する門扉の回動支持部の構造であって、肘つぼ金具の基板材をボルトも含めて覆うカバーの一側部に肘金が挿通して係止する係止孔を備えた係止片を形成し、カバーの他側部に基板材の端部に保持する保持片を形成し、係止孔を肘金に係止し、保持片を基板材の端部に保持しているから、肘つぼ金具の基板材をボルトも含めてカバーにて覆うことができて肘つぼ金具に仕上げ塗装をおこなわなくても外観を高めることができ、例えば、アルミニウム製にする場合にアルマイト処理をおこなうだけのものでよく、かつ、カバーは係止片の係止孔において肘金に係止するとともに他端においては保持片が基板材の端部に保持することでカバーを肘金金具に取付けることができ、肘金金具側に取付けのための構成を付加しなくてもよく、既存の肘金金具にカバーを肘金を中心に回転させることで容易、確実に取付けることができるという利点がある。
【００３３】
請求項２においては、請求項１の効果に加えて、基板材の端部に縦溝を形成し、保持片に突部を形成し、縦溝に突部を係入しているから、カバーを肘金金具に、一層、容易にかつ安定的に取付けることができるという利点がある。
【００３４】
請求項３においては、請求項１の効果に加えて、肘金に係止孔を貫通して係止片をワッシャとしているから、従来では別途に挿入をおこなっていたワッシャの組み込み作業を省くことができるという利点がある。
【００３５】
請求項４においては、請求項１の効果に加えて、係止片の上方に上下間隔を隔てて係止孔に平面視において重なる通孔を備えた上係止片をカバーに形成し、通孔に貫通する凸部を備えたキャップを設け、通孔に凸部を挿通してキャップをカバーに保持しているから、肘金の平面視における上方にはキャップが存在して、一層、外観を高めながら、キャップにより上係止片の通孔を閉じて水密を図ることができ、肘金及び肘つぼの回動部に雨水やごみが侵入するのを防止することができるという利点がある。
【００３６】
請求項５においては、基板に肘金を備えた肘金金具を門柱に基板を貫通するボルトにて取付け、基板材に肘つぼを備えた肘つぼ金具を門扉に基板材を貫通するボルトにて取付け、肘つぼを肘金に回動自在に挿通して門扉を門柱に回動自在に保持する門扉の回動支持部の構造であって、肘つぼ金具の基板材をボルトも含めて覆うカバーの一側部に肘つぼの上部開口に係入する係入凸部を備えた係止片材を形成し、カバーの他側部に基板材の端部に保持する保持片を形成し、上部開口に係入凸部を係入し、保持片を基板材の端部に保持しているから、肘つぼ金具の基板材をボルトも含めてカバーにて覆うことができて肘つぼ金具に仕上げ塗装をおこなわなくても外観を高めることができ、例えば、アルミニウム製にする場合にアルマイト処理をおこなうだけのものでよく、かつ、カバーは係止片材の係止凸部が肘つぼの上部開口に係入するとともに他端においては保持片が基板材の端部に保持することでカバーを肘つぼ金具に取付けることができ、肘つぼ金具側に取付けのための構成を付加しなくてもよく、既存の肘つぼ金具にカバーを肘つぼを中心に回転させることで容易、確実に取付けることができるという利点がある。
【００３７】
請求項６においては、請求項５の効果に加えて、カバーの一側部の上下部に係止片材を切除自在に設けているから、肘つぼ金具の門扉への取付け方向を反転する場合にカバーの上下を反転して肘金側となる係止片材を切除することで容易に対応することができるという利点がある。
【００３８】
請求項７においては、請求項５の効果に加えて、カバーの一側部の上下部に係止片材を設け、係止片材に肘つぼの端部開口に嵌入することができる突起部を打ち抜きにて取り外し自在に設けているから、肘つぼ金具の門扉への取付け方向を反転する場合にカバーの上下を反転して肘金側となる突起部を打ち抜きにて切除することで容易に対応することができるという利点がある。
【００３９】
請求項８においては、請求項１又は５の効果に加えて、門柱側の肘金金具をボルトを含めて覆う覆いを肘金金具の両側端部における係合部において着脱自在に取付けているから、覆いにより門柱側の肘金金具をボルトも含めて覆うことができて肘金金具に仕上げ塗装をおこなわなくても外観を高めることができ、例えば、アルミニウム製にする場合にアルマイト処理をおこなうだけのものでよく、かつ、覆いは肘金金具の両側端部における係合部に着脱自在に取付けていることから、肘金金具側に取付けのための構成を付加しなくてもよいという利点がある。
【図面の簡単な説明】
【図１】本発明の実施の一形態を示し、（ａ）は分解斜視図、（ｂ）（ｃ）は概略断面図である。
【図２】同上の作用を示す斜視図である。
【図３】同上の他の実施の形態を示し、（ａ）は分解斜視図、（ｂ）はカバーの斜視図である。
【図４】同上の作用を示す分解斜視図である。
【図５】同上の更に他の実施の形態の作用を示す説明図である。
【図６】同上の更に他の実施の形態を示し、（ａ）は門柱に取付けた肘金金具を示す斜視図、（ｂ）は覆いを取付けた概略水平断面図、（ｃ）は部分拡大断面図である。
【図７】同上の分解斜視図である。
【図８】同上の作用を示す斜視図である。
【図９】従来例の分解斜視図である。
【符号の説明】
１    基板
２    肘金
３    肘金金具
４    門柱
５    基板材
６    肘つぼ
７    肘つぼ金具
８    ボルト
９    門扉
１０  カバー
１１  係止孔
１２  係止片
１３  保持片
【図１】
0003695349.tif 000002
【図２】
0003695349.tif 000003
【図３】
0003695349.tif 000004
【図４】
0003695349.tif 000005
【図５】
0003695349.tif 000006
【図６】
0003695349.tif 000007
【図７】
0003695349.tif 000008
【図８】
0003695349.tif 000009
【図９】
0003695349.tif 000010